(57)【要約】      （修正有）【課題】ハウジングケースの反りを抑制しサブコネクタを保持する組立てコネクタを提供する。【解決手段】サブハウジング２０とハウジングケース１０とからなる組立てコネクタであって、ハウジングケースは左右側面、前面が開口した半完状の箱体で、上壁１１、下壁１２には係止突部１１２、１２２が備わる。サブハウジングは開口を通してハウジングケースに挿入される。サブハウジングには係止孔部が備わり、サブハウジングの挿入終了位置でサブハウジングの係止孔部がハウジングケースの係止突部に係止し、上壁１１、下壁１２の反りが抑制される。ハウジングケースの収容部には上壁と下壁とを繋ぐ中壁１４が備わり、ハウジングケースにはサブハウジングをガイドするためのガイドリブが備わり、サブハウジングにはガイド溝が備わる。ガイドリブの先端には係止突部が形成され、サブハウジングの側壁には係止孔部が形成される。【選択図】図１
2020107423.tif 000002
【特許請求の範囲】
【請求項１】
２個以上のサブハウジングと前記サブハウジングを収容するハウジングケースとからなる組立てコネクタであって、
前記ハウジングケースは後壁、上壁、下壁を備え左側面、右側面、前面が開口した半完成状態の箱体で、前記上壁及び前記下壁には係止部が備わり、
前記サブハウジングは前記左右方向に沿って前記開口を通して前記ハウジングケースに挿入されて挿入終了位置に至り、
前記サブハウジングには前記係止部に対応する位置に被係止部が備わり、
前記サブハウジングの前記挿入終了位置で前記サブハウジングの前記被係止部が前記ハウジングケースの前記係止部に係止し、前記上壁及び前記下壁のそりが抑制されるところに特徴を有する組立てコネクタ。
【請求項２】
前記ハウジングケースの収容室には前記上壁と前記下壁とを繋ぐ中間壁が備わるところに特徴を有する請求項１記載の組立てコネクタ。
【請求項３】
前記ハウジングケースには前記サブハウジングの前記挿入をガイドするためのガイドリブが備わり、前記サブハウジングには前記ガイドリブに対応するガイド溝が備わるところに特徴を有する請求項１又は２記載の組立てコネクタ。
【請求項４】
前記ガイドリブの先端には前記係止部が備わり、前記ガイド溝と前記サブハウジングの側壁とが交差する位置に前記被係止部が備わるところに特徴を有する請求項３記載の組立てコネクタ。
【請求項５】
請求項４記載の係止部は凸部であり、請求項４記載の被係止部は凹部であるところに特徴を有する組立てコネクタ。
【発明の詳細な説明】
【技術分野】
【０００１】
本発明は、サブハウジングと、ハウジングケースとからなる組立てコネクタに関する。
【０００２】
特許文献１記載の組立てコネクタが知られている。長手方向に延びるハウジングが概ね中央で分割されて２個のサブハウジングに分かれる。分割されたサブハウジングは、ハウジングケースの収容部に組立てられて一体的なハウジングを構成する。
【０００３】
このように、組立てコネクタは、拡開可能なハウジングケース（外側ハウジング）と、ハウジングケース（外側ハウジング）に所定方向から挿入されるサブハウジング（内側ハウジング）からなる。サブハウジング（内側ハウジング）の溝６４、６６は、ハウジングケース（外側ハウジング）の突条２４、２６と係合し、これにより、電線の引張り方向の抜けが抑制される。また舌片２０、２２は、電線側に折り曲げられて応力を緩和する。係合手段２０ａ、２２ａ、３２、３４、６８、７０、７２、１１０ａ、１１２により、ハウジングケース（外側ハウジング）と、サブハウジング（内側ハウジング）とは組立て保持され、これにより、端子の固定を確実におこなうことができる組立てコネクタが得られる、というものである。
【先行技術文献】
【特許文献】
【０００４】
【特許文献１】特開２０００−１２１４７号公報
【発明の概要】
【発明が解決しようとする課題】
【０００５】
しかし、特許文献１記載の組立てコネクタは、サブハウジング（内側ハウジング）を折りたたみ、ハウジングケース（外側ハウジング）に差し込む構造であるが、ハウジングケースの開き（反り）に対する抑止策が講じられていない。その結果、収容された状態のサブハウジングがハウジングケースから脱落するおそれがある。
【０００６】
本発明は、上述した問題に鑑みてなされたものであって、ハウジングケースの反りが抑制され、サブハウジングに対するハウジングケースの保持が確実におこなえる組立てコネクタの提供を目的とするものである。
【課題を解決するための手段】
【０００７】
本発明の組立てコネクタは、（１）２個以上のサブハウジングと、前記サブハウジングを収容するハウジングケースとからなる組立てコネクタであって、前記ハウジングケースは後壁、上壁、下壁を備え左側面、右側面、前面が開口した半完成状態の箱体で、前記上壁及び前記下壁には係止部が備わり、前記サブハウジングは前記左右方向に沿って前記開口を通して前記ハウジングケースに挿入されて挿入終了位置に至り、前記サブハウジングには前記係止部に対応する位置に被係止部が備わり、前記サブハウジングの前記挿入終了位置で前記サブハウジングの前記被係止部が前記ハウジングケースの前記係止部に係止し、前記上壁及び前記下壁のそりが抑制されるところに特徴を有するものである。
【０００８】
この発明によれば、サブハウジングがハウジングケースに収容された状態でサブハウジングの被係止部と、ハウジングケースの係止部とが係止するので、ハウジングケースの反りが抑制された組立てコネクタが得られる。
【０００９】
好ましくは、本発明の組立てコネクタは、（２）前記ハウジングケースの収容室には、
前記上壁と前記下壁とを繋ぐ中間壁が備わるところに特徴を有する（１）記載のものである。
【００１０】
この発明によれば、ハウジングケースの収容室に上壁と、下壁とを繋ぐ中間壁が備わるので、ハウジングケースの反りが抑制された組立てコネクタが得られる。
【００１１】
好ましくは、本発明の組立てコネクタは、（３）前記ハウジングケースには、前記サブハウジングの前記挿入をガイドするためのガイドリブが備わり、前記サブハウジングには、前記ガイドリブに対応するガイド溝が備わるところに特徴を有する（１）又は（２）記載のものである。
【００１２】
この発明によれば、ガイドリブ、及びガイド溝が備わるので、側面方向からの組立て及び分離がスムーズにできる組立てコネクタが得られる。
【００１３】
好ましくは、本発明の組立てコネクタは、（４）前記ガイドリブの先端には、前記係止部が備わり、前記ガイド溝と前記サブハウジングの側壁とが交差する位置に前記被係止部が備わるところに特徴を有する（３）記載のものである。
【００１４】
この発明によれば、ハウジングケースには係止部が備わり、サブハウジングの側壁には被係止部が備わるので、ハウジングケースの反りが抑制された組立てコネクタが得られる。
【００１５】
好ましくは、本発明の組立てコネクタは、（５）上記（４）記載の係止部は凸部であり、上記（４）記載の被係止部は凹部であるところに特徴を有するものである。
【００１６】
この発明によれば、係止凸部と、被係止凹部とが嵌め合うので確実な係止状態を有する組立てコネクタが得られる。
【図面の簡単な説明】
【００１７】
【図１】図１は、本実施形態に係る組立てコネクタの外観斜視図である。
【図２】図２は、同組立てコネクタのハウジングケースと、サブハウジングとが分離した状態の外観斜視図である。
【図３】図３は、同組立てコネクタのハウジングケースの外観斜視図である。
【図４】図４は、同組立てコネクタのサブハウジングの外観斜視図である。
【図５】図５は、図１のＶ−Ｖ線に沿った断面図である。
【図６】図６は、他の実施形態の主要部を示す断面図である。
【発明を実施するための形態】
【００１８】
本発明に係る実施形態を図面に従って説明する。図１は、本実施形態に係る組立てコネクタの外観斜視図である。図２は、同組立てコネクタのハウジングケースと、サブハウジングとが分離した状態の外観斜視図である。図３は、同組立てコネクタのハウジングケースの外観斜視図である。図４は、同組立てコネクタのサブハウジングの外観斜視図である。図５は、図１のＶ−Ｖ線に沿った断面図である。なお、本発明の技術的範囲は本実施形態の範囲に限定的に解釈されるものではなく、発明の要旨を逸脱しない範囲で形状、構造、材料、個数、組合せなどは当然変更しうるものである。また、説明中の方向指示は、図中の方向定義に従う。
【００１９】
＜組立コネクタ＞
本実施形態に係る組立てコネクタ１は、図１に示されるように、サブハウジング２０と、ハウジングケース１０とからなる。ハウジングケース１０は、ハウジングケース１０の
みからなる。なお、サブハウジング２０は、電線Ｗに接続されたコンタクトＣが所定位置に装着されたサブコネクタの状態でハウジングケース１０に組立てられるものではあるが、組立て構造が明瞭になるように、本説明では、コンタクトＣを省略した状態のサブハウジング２０と、ハウジングケース１０について説明する。コンタクトＣが装着された状態のサブコネクタについては、図５に示されている。
【００２０】
組立てコネクタ１は、図２に示されるように、１個のハウジングケース１０に対して２個のサブハウジング２０が組立てられる構成である。サブハウジング２０と、ハウジングケース１０とは、組立て及び分離が自在である。サブハウジング２０は、ハウジングケース１０に対して左右方向に沿って組立てられる。右側のサブハウジング２０は、右側面から組立てられ、左側のサブハウジング２０は、左側面から組立てられる。なお、左側サブハウジング２０と、右側サブハウジング２０とは、左右対称構造なので、以後の説明では主に右側サブハウジング２０の構造についておこなう。また、ハウジングケース１０についても収容室が中壁１４で左右に仕切られた左右対称構造なので、主に右側サブハウジング２０に対応する右側の収容室の構造について説明する。
【００２１】
組立てコネクタ１は、図１に示されるように、ハウジングケース１０にサブコネクタ２０が組立てられた状態で、図示しない相手方コネクタに対して嵌合する。組立てコネクタ１は、図示しない相手方コネクタとの嵌合状態を保持するために、上壁１１の外面にロックアーム１１５を備えている。ロックアーム１１５は、後方が基端部で前方が可動部の片持ち梁であって係止部が備わり、ロック状態で相手方コネクタに係止する。
【００２２】
組立コネクタ１は、図１、図２に示されるように、嵌合面は後方にあり、電線Ｗは前方へ延出している。ハウジングケース１０の後壁１３、サブハウジング２０の後壁２３には図示しない嵌合相手方コネクタの端子が通過するための端子穴１３０、２３０が２段に亘って形成されている。
【００２３】
＜ハウジングケース＞
ハウジングケース１０は、図３に示されるように、上壁１１、下壁１２、後壁１３、からなる収容部１５０が内側に形成された半箱体状で、前面、及び左右側面は開口面である。収容部１５０は、中壁１４で右側収容部と、左側収容部とに分割されている。右側収容部と、左側収容部とは、中壁１４に対して左右対称構造である。中壁１４は、上端で上壁１１と、下端で下壁１２とに繋がっているので、上壁１１と、下壁１２とは、中壁１４を介して外方向への反りが抑制されている。
【００２４】
上壁１１には、図３に示されるように、前後方向に延びたロックアーム１１５が外面に備わる。ロックアーム１１５は、片持ち梁状で前方に操作部がある。不用意な接触による誤操作を防ぐために操作部を隠すようにブロックがその周囲近傍に備わる。
【００２５】
上壁１１には、図３に示されるように、内面前寄りに前ガイドリブ１１０と、内面後寄りに後ガイドリブ１１１とが備わる。前ガイドリブ１１０は、左右方向に延びる突条で中壁１４から右端近傍にまで延びている。前ガイドリブ１１０は、断面方形で先端の角部にはテーパー面が形成されている。
【００２６】
後ガイドリブ１１１は、図３に示されるように、左右方向に延びる突条で中壁１４から略右端にまで延びている。後ガイドリブ１１１は、中央よりもやや後方寄りに備わる。後ガイドリブ１１１の先端には、上係止突部１１２が形成されている。上係止突部１１２は、後ガイドリブ１１１の延長上の先端部にあり、先端部の上半分を欠いた構造である。上係止突部１１２は、上壁１１内面からやや離れた位置に形成されている。
【００２７】
後壁１３には、図３に示されるように、上下２段に亘って端子穴１３０が形成されている。後壁１３は、収容部１５０の後方を区画する。
【００２８】
下壁１２には、図２、図３に示されるように、中央よりも後方寄りに後ガイドリブ１２１が備わる。後ガイドリブ１２１は、左右方向に延びる突条で中壁から略右端にまで延びている。下壁１２の後ガイドリブ１２１と、上壁１１の後ガイドリブ１１１とは、水平面に対して対称構造である。後ガイドリブ１２１の先端には、下係止突部１２２が形成されている。下係止突部１２２は、後ガイドリブ１２１の延長上の先端部にあり、先端部の下半分を欠いた構造である。下係止突部１２２は、下壁１２内面からやや離れた位置に形成されている。
【００２９】
下壁１２には、図２に示されるように、前方右端に係止部１４０が備わる。係止部１４０は、山脈状で右方に傾斜面が形成されている。
【００３０】
＜サブハウジング＞
サブハウジング２０は、図４に示されるように、上壁２１、下壁２２、右壁２４、左壁２５、後壁２３からなる、前面が開口した箱体で内部に端子収容部２６０が形成されている。端子収容部２６０は、縦壁と横壁で複数の部屋に区画されている。区画された端子収容部２６０には、単一のコンタクトＣが収容され、図示しない係止部でコンタクトＣを保持する。
【００３１】
上壁２１には、図４に示されるように、前方寄りに前ガイド溝２１０と、後方寄りに後ガイド溝２１１が備わる。
前ガイド溝２１０は、上壁２１を切り欠いたものであって溝底壁はなく、端子収容部２６０にまで貫通した溝穴である。前ガイド溝２１０は、左右方向に延びた溝穴で、左端は左壁２５の前切り欠き部２５０に連通し、右端は上壁２１の右端近傍にまで延びている。
【００３２】
後ガイド溝２１１は、図４に示されるように、上壁２１を切り欠いたものであって溝底壁はなく、端子収容部２６０にまで貫通した溝穴である。後ガイド溝２１１は、左右方向に延びた溝穴で、左端は左壁２５の後切り欠き部２５１にそのまま連通し、右端は右壁２４内面にまで達している。
【００３３】
下壁２２には、図４に示されるように、前方寄りに前ガイド溝２２０と、後方寄りに後ガイド溝２２１が備わる。
前ガイド溝２２０は、下壁２２を切り欠いたものであって溝底壁はなく、端子収容部２６０にまで貫通した溝穴である。前ガイド溝２２０は、左右方向に延びた溝穴で、左端は左壁２５の前切り欠き部２５０に連通し、右端は下壁２２の右端近傍にまで延びている。
後ガイド溝２２１は、下壁２２を切り欠いたものであって溝底壁はなく、端子収容部２６０にまで貫通した溝穴である。後ガイド溝２２１は、左右方向に延びた溝穴で、左端は左壁２５の後切り欠き部２５２にそのまま連通し、右端は右壁２４内面にまで達している。
下壁２２には、図４に示されるように、前寄り左端に凹状の係止部２２５が形成されている。係止部２２５の右方には右壁を貫くくぼ地が形成されている。
【００３４】
左側壁２５には、図４に示されるように、前寄り上縁部に前切り欠き部２５０が形成され、後寄り上縁部に後切り欠き部２５１が形成され、後寄り下縁部に後切り欠き部２５２が形成されている。前切り欠き部２５０は、間口にテーパー面を備え上壁２１の前ガイド溝２１０の左端にそのまま連通している。上縁部の後切り欠き部２５１は、間口にテーパー面を備え上壁２１の後ガイド溝２１１にそのまま連通している。下縁部の後切り欠き部２５２は、間口にテーパー面を備え下壁２２の後ガイド溝２２１にそのまま連通している
。
【００３５】
後壁２３には、図２に示されるように、上段下段に渡って端子穴２３０が形成されている。端子穴２３０の間口にはテーパー面が形成されている。
【００３６】
＜組立＞
サブハウジング２０と、ハウジングケース１０との組立は、図２、図４に示されるように、ハウジングケース１０の側方から左右方向に沿ってサブハウジング２０が組立てられる。
組立開始位置で、ハウジングケース１０の下壁１２の後ガイドリブ１２１の先端は、サブハウジング２０の下壁２２の後ガイド溝２２１の間口（後切り欠き部２５２）に係り、ハウジングケース１０の上壁１１の後ガイドリブ１１１の先端は、サブハウジング２０の上壁２１の後ガイド溝２１１の間口（後切り欠き部２５１）に係り、ハウジングケース１０の上壁１１の前ガイドリブ１１０の先端は、サブハウジング２０の上壁２１の前ガイド溝２１０の間口（前切り欠き部２５０）に係る。
【００３７】
組立途中位置で、ハウジングケース１０の下壁１２の後ガイドリブ１２１に沿って、サブハウジング２０の下壁２２の後ガイド溝２２１が通過し、ハウジングケース１０の上壁１１の後ガイドリブ１１１に沿って、サブハウジング２０の上壁２１の後ガイド溝２１１が通過し、ハウジングケース１０の上壁１１の前ガイドリブ１１０に沿って、サブハウジング２０の上壁２１の前ガイド溝２１０が通過する。
【００３８】
サブハウジング２０の左壁２５がハウジングケース１０の中壁１４に近接又は当接するまでサブハウジング２０を挿入すると組立終了位置である。組立終了位置で、ハウジングケース１０の上壁１１の後ガイドリブ１１１の先端の上係止突部１１２は、サブハウジング２０の右側壁２４の上係止孔部２４０に係止し、ハウジングケース１０の下壁１２の後ガイドリブ１２１の先端の下係止突部１２２は、サブハウジング２０の右側壁２４の下係止孔部２４１に係止する。これにより、ハウジングケース１０の上壁１１及び下壁１２の反りが抑制されることとなる。特に開く方向の反りに対して抑制効果が奏される。
【００３９】
組立終了位置で、ハウジングケース１０下壁１２の前方右寄りの係止部１４０と、サブハウジング２０の下壁２２の前方右寄りの係止部２２５とが係止する。これにより、ハウジングケース１０からのサブハウジング２０の抜出しが抑制されることとなる。
【００４０】
＜リテーナ＞
組立終了位置で、ハウジングケース１０の上壁１１及び下壁１２の後ガイドリブ１１１、１２１は、図５に示されるように、サブハウジング２０に収容されたコンタクトＣを保持する機能を備えている。また、ハウジングケース１０の上壁１１の前ガイドリブ１１０は、電線Ｗの周面に当接又は近接する位置にある。これにより、電線Ｗの振れが抑制された組立コネクタ１が得られる。
【００４１】
＜効果＞
・ハウジングケース１０には、ガイドリブ１１０、１１１、１２０、１２１が備わり、サブハウジング２０にはガイド溝２１０、２１１、２２０、２２１が備わるので、組立がスムーズにおこなえる組立コネクタ１が得られる。
・ハウジングケース１０には、上壁１１及び下壁１２に造繋がる中壁１４が備わるので反り（開き）が抑制された組立コネクタ１が得られる。
・ハウジングケース１０の後ガイドリブ１１１、１２１の先端の上係止突部１１２、及び下係止突部１２２は、サブハウジング２０の右側壁２４の上係止孔部２４０及び下係止孔部２４１に係止するので、ハウジングケース１０の上壁１１及び下壁１２の反り（開き）
が抑制された組立コネクタ１が得られる。
【００４２】
・組立状態で、ハウジングケース１０の後ガイドリブ１１１、１２１の側面（保持部１１１０、１２１０）がサブハウジング２０に装着されたコンタクトＣのボックス部後端に近接又は当接するので、コンタクトＣの抜出しが抑制された組立コネクタ１が得られる。
・組立状態で、ハウジングケース１０の前ガイドリブ１１０（保持部１１００）、１２０（１２００）の先端が電線Ｗに近接又は当接するので、電線Ｗの触れが抑制された組立コネクタ１が得られる。
・サブコネクタ２０は、左右対称構造なので、金型の一部の部品を組み換えることで作りわけができる。
【００４３】
＜他の実施態様＞
図６は、他の実施形態の主要部を示す断面図である。前ガイド溝２１０、２２０及び前ガイドリブ１１０、１２０がない形態である。このような形態でも電線の抑制効果は弱まるが概ね上述した効果が奏される。
【符号の説明】
【００４４】
１            組立てコネクタ
１０          ハウジングケース
１１          上壁
１１０        前ガイドリブ
１１００      保持部
１１１０      保持部
１１１        後ガイドリブ
１１２        上係止突部
１１５        ロックアーム
１２          下壁
１２０        前ガイドリブ
１２１        後ガイドリブ
１２００      保持部
１２１０      保持部
１２２        下係止突部
１３          後壁
１３０        端子穴
１４          中壁
１４０        係止部
１５０        収容部
２０          サブハウジング
２１          上壁
２１０        前ガイド溝
２１１        後ガイド溝
２２          下壁
２２０        前ガイド溝
２２１        後ガイド溝
２２５        係止部
２２６        くぼ地
２３          後壁
２３０        端子穴
２４          右側壁
２４０        上係止孔部
２４１        下係止孔部
２５          左側壁
２５０        前切り欠き部
２５１        後切り欠き部
２５２        後切り欠き部
２６０        端子収容部
Ｗ            電線
Ｃ            コンタクト
【図１】
2020107423.tif 000003
【図２】
2020107423.tif 000004
【図３】
2020107423.tif 000005
【図４】
2020107423.tif 000006
【図５】
2020107423.tif 000007
【図６】
2020107423.tif 000008